(57)【特許請求の範囲】
【請求項１】
第１のタイミングで第１の時刻情報を取得する第１の時刻取得部と、前記第１の時刻情報を送信する第１の送信部を有する第１のセンサと、
第２のタイミングで第２の時刻情報を取得する第２の時刻取得部と、前記第２の時刻情報を送信する第２の送信部を有する第２のセンサと、
被計測者が所持し、前記第１のセンサと前記第２のセンサから送信された前記第１の時刻情報と前記第２の時刻情報を受信する第１の受信部を有し、前記第１の受信部が受信した情報を、インターネット通信により送信する第３の送信部を有する、電子機器端末、で構成される時間計測システム。
【請求項２】
前記電子機器端末が、前記第１の時刻情報と前記第２の時刻情報から差分を計算する計算部を有することを特徴とする請求項１に記載の時間計測システム。
【請求項３】
前記電子機器端末が、スマートフォンであることを特徴とする請求項１または２に記載の時間計測システム。
【請求項４】
少なくとも前記電子機器端末の前記第３の送信部から送信された情報を受信する第２の受信部と、前記第２の受信部が受信した情報を記憶する記憶部を具備するデータサーバを有することを特徴とする請求項１〜３に記載の時間計測システム。
【請求項５】
前記第１のセンサの前記第１の送信部と前記第２のセンサの前記第２の送信部が、前記電子機器端末と近距離通信を行う通信部であることを特徴とする請求項１〜４に記載の時間計測システム。
【請求項６】
被計測者が電子機器端末を所持する工程と、
前記被計測者が、第１のセンサを横切った時に第１の時刻情報を取得する工程と、
取得した前記第１の時刻情報を前記電子機器端末に送信する工程と、
前記被計測者が、第２のセンサを横切った時に第２の時刻情報を取得する工程と、
取得した前記第２の時刻情報を前記電子機器端末に送信する工程と、
前記電子機器端末が取得した前記第１の時刻情報と前記第２の時刻情報をインターネット通信によりデータサーバへ送信する工程、
を有することを特徴とする時間計測方法。
【請求項７】
前記電子機器端末において、前記第１の時刻情報と前記第２の時刻情報から差分を計算する工程、を有することを特徴とする請求項６に記載の時間計測方法。
【請求項８】
前記データサーバにおいて、前記電子機器端末が取得した情報を記憶する工程、を有することを特徴とする請求項６または７に記載の時間計測方法。
【請求項９】
前記データサーバにおいて、前記第１の時刻情報と前記第２の時刻情報から差分を計算する工程、を有することを特徴とする請求項６に記載の時間計測方法。
【発明の詳細な説明】
【技術分野】
【０００１】
本発明の一態様は、ある区間を移動するのに要した時間を計測する時間計測システムに関するものである。
【背景技術】
【０００２】
一般に、ある区間を移動する時間を正確に計測するため、ストップウォッチ等の時間計測機器が使用されている。近年は、計測者により生じる計測の誤差をなくし、また１００分の１秒台までも正確に計測したいという要望から電気信号を用いた時間計測システムや時間計測誤差の少ない時計を用いた時間計測システムが用いられている。
【０００３】
この時間計測システムとして、例えば、互いに通信機能を有し、光電センサからなるセンサ部を搭載する時間計測装置を組で用いる構成がある。まず、時間計測装置を同期させた後、計測開始位置及び計測終了位置にそれぞれ配置する。これらの時間計測装置を無線通信又は有線通信により接続し、各センサ部の検出信号に基づき、被計測者の通過時間又は移動時間を計測する（例えば、特許文献１）。
【先行技術文献】
【特許文献】
【０００４】
【特許文献１】特許第６５５０６１２号
【発明の概要】
【発明が解決しようとする課題】
【０００５】
しかしながら、特許文献に記載の時間計測システムは、センサ自体がネットワーク通信を行うことができる装備を有することが必要であり、費用が高額となるという問題があった。また、センサ自体の大きさも大きくなり、重量も重くなってしまうという問題があった。
【課題を解決するための手段】
【０００６】
前記問題を解決するため、請求項１の本発明に係る時間計測システムは、第１のタイミングで第１の時刻情報を取得する第１の時刻取得部と、前記第１の時刻情報を送信する第１の送信部を有する第１のセンサと、
第２のタイミングで第２の時刻情報を取得する第２の時刻取得部と、前記第２の時刻情報を送信する第２の送信部を有する第２のセンサと、
被計測者が所持し、前記第１のセンサと前記第２のセンサから送信された前記第１の時刻情報と前記第２の時刻情報を受信する第１の受信部を有し、前記第１の受信部が受信した情報を、インターネット通信により送信する第３の送信部を有する、電子機器端末、で構成されることを特徴とする。
【０００７】
請求項１の発明によれば、センサ自体がネットワーク通信のための装備が必要ないので、費用の高騰を抑えることができる。また、センサ自体の大きさをコンパクトにでき、重量も軽くできるので、持ち運んで使用できるという利点がある。
【０００８】
請求項２の本発明に係る時間計測システムは、前記電子機器端末が、前記第１の時刻情報と前記第２の時刻情報から差分を計算する計算部を有することを特徴とする。
【０００９】
請求項３の本発明に係る時間計測システムは、前記電子機器端末が、スマートフォンであることを特徴とする。
【００１０】
請求項４の本発明に係る時間計測システムは、少なくとも前記電子機器端末の前記第３の送信部から送信された情報を受信する第２の受信部と、前記第２の受信部が受信した情報を記憶する記憶部を具備するデータサーバを有することを特徴とする。
【００１１】
請求項５の本発明に係る時間計測システムは、前記第１のセンサの前記第１の送信部と前記第２のセンサの前記第２の送信部が、前記電子機器端末と近距離通信を行う通信部であることを特徴とする。
【００１２】
請求項６の本発明に係る時間計測方法は、被計測者が電子機器端末を所持する工程と、
前記被計測者が、第１のセンサを横切った時に第１の時刻情報を取得する工程と、
取得した前記第１の時刻情報を前記電子機器端末に送信する工程と、
前記被計測者が、第２のセンサを横切った時に第２の時刻情報を取得する工程と、
取得した前記第２の時刻情報を前記電子機器端末に送信する工程と、
前記電子機器端末が取得した前記第１の時刻情報と前記第２の時刻情報をインターネット通信によりデータサーバへ送信する工程、
を有することを特徴とする。
【００１３】
請求項７の本発明に係る時間計測方法は、前記電子機器端末において、前記第１の時刻情報と前記第２の時刻情報から差分を計算する工程、を有することを特徴とする。
【００１４】
請求項８の本発明に係る時間計測方法は、前記データサーバにおいて、前記電子機器端末が取得した情報を記憶する工程、を有することを特徴とする。
【００１５】
請求項９の本発明に係る時間計測方法は、前記データサーバにおいて、前記第１の時刻情報と前記第２の時刻情報から差分を計算する工程、を有することを特徴とする。
【図面の簡単な説明】
【００１７】
【図１】本発明の実施の一形態に係る時間測定システムの概念的な構成を示す図である。
【図２】図１のスタート用のセンサ２の構成例を示すブロック図である。
【図３】図１のゴール用のセンサ３の構成例を示すブロック図である。
【図４】図１の時間計測システムにおける時間計測を説明するためのフローチャートである。
【図５】図１の時間計測システムにおける計測結果を閲覧する過程について説明するためのフローチャートである。
【００１８】
以下、図面を参照して本発明の実施形態について詳細に説明する。  
【００１９】
図１は、本発明の一態様となる時間計測システムの概念的な構成を示す図である。この時間計測システム１は、予め定めた区間を被計測者６が移動又は通過するのに要した時間を計測するシステムである。
【００２０】
時間計測システム１は、被計測者６が所持し共に移動する電子機器端末（例えば、スマートフォン）を有する。
【００２１】
この電子機器端末は、図示しないが、ＧＰＳ（Global Positioning System）通信及び、ネットワーク通信例えば、インターネット通信を行う通信部（第３の通信部）を有する。
【００２２】
本実施形態では、ネットワーク通信として、インターネット通信を例としているが、これに限定されない。データサーバに相当する構成部位を設置できるのであれば、他のネットワーク通信も適用できる。
この電子機器端末は、インターネット通信を用いて取得した時刻情報を後述するデータサーバ５に送信する。
【００２３】
また、時間計測システム１は、第１のセンサ２（スタートセンサ）と第２のセンサ３（ゴールセンサ）を有する。
【００２４】
スタート用の第１のセンサ２は、スタート用の通過センサ１１、スタート用の計測時計１２（１１と１２を併せて第１の時刻取得部）と、メモリ３４、そして近距離通信が可能な通信部（第１の送信部）を有する。
【００２５】
スタート用の通過センサ１１とスタート用計測時計１２は、一体で構成されるのが望ましい。しかし、別体で構成されてもよい。
【００２６】
スタート用のセンサ通過１１は、時間の計測を開始するスタート位置に配置される。
【００２７】
スタート用のセンサ通過１１は、公知なセンサを利用できる。例えば、非接触センサであれば、光電センサや磁気センサが望ましい。光電センサは、赤外光やレーザ光を出射する投光部と、受光部とからなる公知なセンサを利用できる。出射される赤外光やレーザ光を横切るように被計測者が通過した際に、受光部が遮光又は反射光の検出により、センサ信号が出力される。
【００２８】
また、開閉するゲート（バーや扉の形状）と電気スイッチを組み合わせたセンサも利用できる。この構成では、ゲートをスタート位置に配置し、被計測者６がゲートを押し開いた時など、ゲートの開放時に電気スイッチがオンして時間の計測が開始される。さらに、電気的に計測を開始させるという方式であれば、センサに代わって、光又は音を発する機器をスタート位置に配置して、光又は音を発して計測開始を告知した時に、その機器から時間計測開始のための電気信号を出力させてもよい。
【００２９】
スタート用の計測時計１２は、スタート用の通過センサ１１のセンサ信号が出力された第１のタイミングで計測開始の時刻情報を取得・記憶する。近距離通信が可能な第１の送信部は、取得した第１の時刻情報を、被計測者６が所持し、被計測者６ともに移動する電子機器端末に送信する。
【００３０】
ゴール用の第２のセンサ３は、スタート用の通過センサ１３、スタート用の計測時計１４（１３と１４を併せて第２の時刻取得部）と、メモリ３４、そして近距離通信が可能な通信部（第２の送信部）を有する。
【００３１】
ゴール用の通過センサ１３とゴール用の計測時計１４は、一体で構成されるのが望ましい。しかし、別体で構成されてもよい。
ゴール用の通過センサ１３は、時間の計測を終了するゴール位置に配置される。
ゴール用の通過センサ１３は、スタート用の通過センサと同様に公知なセンサを利用できる。
【００３２】
ゴール用の計測時計１４は、ゴール用の通過センサ１３のセンサ信号が出力された第２のタイミングで計測開始の時刻情報を取得・記憶する。近距離通信が可能な第２の送信部は、取得した第２の時刻情報を、被計測者６が所持し、被計測者６ともに移動する電子機器端末に送信する。
【００３３】
また、ゴール用通過センサ１３は、被計測者６が近接して通過することを前提とすれば、非接触センサが好適し、例えば、光電センサや磁気センサが用いられる。
【００３４】
また、時間計測システム１は、インターネット４に接続されるデータサーバ５を有している。
【００３５】
被計測者６が所持し、被計測者６ともに移動する電子機器端末のインターネット通信を行う第３の送信部は、第１のセンサ２、第２のセンサ３から取得した第１の時刻情報と第２の時刻情報を、データサーバ５に送信する。
【００３６】
前述したスタート用計測器１２及びゴール用計測時計１４は、電源（図示せず）として、商用周波数の交流電圧や整流された直流電圧を使用できる。
【００３７】
加えて、屋外など電源供給のない環境下で使用されることも想定されるため、バッテリー、例えば、アルカリ電池等の乾電池又は、リチウム電池等の充電可能な充電池を装着して利用することもできる。
【００３８】
さらに、スタート用計測器１２及びゴール用計測時計１４の外装部や又は筐体に、太陽電池パネルを装備して補助電源として用いてもよい。
この補助電源は、電池寿命を長くする又は、低温環境下の使用時において、電池の出力電圧の低下を補助するように機能させてもよい。また、直流又は交流の外部電源から電源供給できるように、別途、外部電源入力端子を設けてもよい。
【００３９】
これらのスタート用計測器１２及びゴール用計測時計１４の外装部材又は筐体は、落下等の外部からの衝撃に耐えて内装する部品を保護することができる強度及び機能を備えている構造である。
【００４０】
外装部材又は筐体は、例えば、硬質樹脂部材や金属材料により形成される。外装部材又は筐体には、持ち運びが容易なように、取っ手や肩掛けベルト用の取り付け具が設けられている。さらに、外装部材又は筐体には、取り外しが可能な脚部や、他の機器に取り付けるための連結具を備えていてもよい。
【００４１】
また、スタート用計測器１２及びゴール用計測時計１４は、さらに防水機能、防塵機能及び露結防止機能を備える。防水機能としては、外部に露出する構成部位、例えば、アンテナ部と筐体との間や筐体の繋ぎ目に防水用パッキンを装着する。さらに、使用する周囲環境に応じて、筐体内部の温度上昇を調整するための冷却機構や、筐体内部の低温化を調整する又は筐体内部の露結を防止するための保温機構を適宜、備えてもよい。冷却機構としては、例えば、空冷であれば内部温度を伝搬する冷却用フィンを外部に露出するように取り付けてもよい。また、水冷であれば、筐体内部に冷媒が封入された熱伝導が高いパイプ等を張り巡らせて、冷却用フィンで冷媒を冷却しながら小型ポンプ等で循環させてもよい。また、保温機構であれば、筐体内面に断熱材を貼り付けたり、抵抗加熱体やペルチェ素子を用いたヒータ部を設けたりしてもよい。これらの機構は、使用する環境に応じて適宜、選択して搭載してもよい。このようにスタート用計測器１２及びゴール用計測時計１４に対して温度調整を行うことで装着されたバッテリーの使用可能時間を確保したり、回路部品の誤動作や精度の低下を防止することができる。
【００４２】
一態様におけるデータサーバ５は、所謂、Ｗｅｂデータサーバであり、例えば、演算処理及び情報を記憶することができるコンピュータ及び大容量メモリが適用できる。データサーバ５は、着信した計測開始の時刻情報と計測終了の時刻情報との差分を求める演算処理を行い、演算結果が時間情報としてデータサーバ５内に設けられたメモリ（図示せず）に格納される。
【００４３】
データサーバ５には、種々の閲覧形態を実現するいくつかのアプリケーションを格納している。これらのアプリケーションを利用して、例えば、１ファィル内の全時間情報に対する選択した識別情報に関わる時間情報、又は格納される全時間情報、又は特定の時間情報に対して、順位付け、最大最小の時間情報及び、平均となる時間情報を数値で表示する。さらには、全時間情報における偏差値や分布グラフ等の種々の閲覧形態で出力することができる。また、被計測者毎の過去に記憶された時間情報との対比（パーソナルベスト）などの閲覧形態で表示させることもできる。
【００４４】
データサーバ５に格納された時間情報は、インターネット４を通じて、通信端末、例えば、パーソナルコンピュータ２４やスマートフォン等の無線携帯端末７に読み出されて閲覧される。
【００４５】
まず、無線携帯端末７やパーソナルコンピュータ２４からインターネット４を通じて、データサーバ５にアクセスする。
【００４６】
無線携帯端末７は、基地局２２の４Ｇ，３Ｇの環境下や無線ＬＡＮルータ２３等を利用したＷｉｆｉの環境下でインターネット４に接続する。また、パーソナルコンピュータ２４等であれば、インターネット４の回線に有線接続するモデムやルータ等を用いた環境下や前述したＷｉｆｉの環境下でインターネット４に接続する。
【００４７】
ここでは、データサーバ５に対して予め設定した登録番号やパスワードを入力することで、アクセスが許可された閲覧者のみが時間情報を閲覧することができる。尚、許可された閲覧者とは、登録番号やパスワードを知っている者とする。勿論、一般公開可能な時間情報であれば、制限を掛けることなく、誰にでもアクセス可能となるように設定してもよい。  
【００４８】
次に、データサーバ５に対してアクセスした閲覧者は、格納されている複数の時間情報に対して、識別情報を用いて検索することで、所望する時間情報を読み出して、パーソナルコンピュータ２４や無線携帯端末７の表示画面に表示させる。
【００４９】
これに対して、本実施形態の時間計測システムは、スタート用の第１のセンサ２とゴール用の第２のセンサ３の間で直接的に通信していない。
【００５０】
このため、スタート用の第１のセンサ２とゴール用の第２のセンサ３の設置位置の間に通信障害となる障害物が存在しても、時間計測や通信には影響がない。
【００５１】
よって、時間計測システムは、市街における高い建造物や山の峰などの障害物がスタート位置とフィニッシュ位置の間に存在しても、問題なく通信することができる。
【００５２】
本実施形態の時間計測システムは、インターネット通信を利用して、通信端末で時間情報を確認することができるため、滑走者が計測終了位置まで戻る必要は無い。さらに、本実施形態の時間計測システムは、インターネット４を通じて、時間計測結果となる時間情報の閲覧ができるため、スタート用の第１のセンサ２やゴール用の第２のセンサ３の設置場所から遠く離れた地点から、携帯端末やパーソナルコンピュータからデータサーバ５にアクセスすることができ、時間情報を容易に入手することができる。
【００５３】
また、時刻情報の演算処理や表示するための処理がデータサーバ５で行われるため、最新の処理プログラムやアプリケーションへのバーションアップが容易である。スタート用の計測時計１２及びゴール用の計測時計１４においては、小容量のメモリを搭載することで対応が可能であり、製造コストを低コスト化できる。
【００５４】
［実施形態］
次に、図２及び図３を参照して、第１の実施形態に係る時間計測システムについて説明する。
【００５５】
図２は、スタート用の第１のセンサ２の構成を説明するブロック図である。
【００５６】
スタート用の第１のセンサ２は、スタート用の通過センサ１１と、スタート用の計測時計１２と、近距離通信を行う通信部３１により構成される。
【００５７】
スタート用の計測時計１２は、設定事項等の情報を記憶するメモリ３４と、計測器全体を制御する制御部３５と、図示していないが、電源スイッチが設けられている。
【００５８】
近距離通信を行う通信部３１（第１の送信部）は、取得した第１の時刻情報を、被計測者６が所持し被計測者６と共に移動する電子機器端末へ送信する。
通信部３１は、公知な構成で実現できる。
【００５９】
メモリ３４は、補助記憶素子であり、ＲＯＭやＲＡＭ等の半導体記憶素子が用いられる。メモリ３４は、後述する制御部３５が制御及び処理を行うための制御プログラムやアプリケーションソフトウェアが格納されている。
【００６０】
制御部３５は、演算処理を行うための装置であり、データを一時記憶するレジスタやインターフェース等を有する、例えば、ＣＰＵを用いることができる。この制御部３５は、通常、各構成部位に対して動作タイミングを図りながら制御するために必要なシステムクロック（以下、クロックと称する）を発振する発振回路を有している。本実施形態では、この発振回路のクロック信号を利用して時計部を構成する。勿論、時計部においては、制御部３５を利用せずに、別途、専用の時計部を設けてもよい。
【００６１】
次に、ゴール用のセンサ３について説明する。  
【００６２】
図３は、ゴール用センサ３の構成を説明するブロック図である。
【００６３】
このゴール用センサ３は、ゴール用通過センサ１３と、ゴール用計測時計１４と
近距離通信を行う通信部３１により構成される。
【００６４】
ゴール用の計測時計１４は、設定事項等の情報を記憶するメモリ３４と、計測器全体を制御する制御部３５と、図示していないが、電源スイッチが設けられている。
【００６５】
近距離通信を行う通信部４１（第２の送信部）は、取得した第２の時刻情報を、被計測者６が所持し被計測者６と共に移動する電子機器端末へ送信する。
通信部４１は、公知な構成で実現できる。
【００６６】
メモリ３４と制御部３５は、スタート用のセンサ２で用いたものと同様なので、説明を省略する。
【００６７】
前述した第１の実施形態の時間計測システムをスキーやスノーボードによる
雪上の滑走競技を適用した例について説明する。この滑走競技は、雪上に複数
の旗門を配置して、通過に要する時間を争う競技である。
【００６８】
まず、被計測者（滑走者）は、自分で競技中に所持する電子機器端末（スマートフォン）に計測アプリケーションソフトとダウンロードし、ソフトを起動する。
このアプリのダウンロードにより、本時間計測システムの利用（第１、第２の時刻情報の取得やデータサーバ５への送信が可能となる）。
【００６９】
予め設定した滑走コースにおいて、山頂側の滑走開始位置近傍にスタート用の
第１のセンサ２を設置し、麓側の滑走終了位置近傍にゴール用の第３のセンサ
３を設置する。
【００７０】
この実施形態で、スタート用の第１のセンサ２のスタート用の通過センサ１１は
、スタート用計測時計１２と一体である。
【００７１】
スタート用の通過センサ１２は、滑走者が当該スタート用の通過センサ１２を通過した時刻を、滑走開始時刻として取得する。
本実施形態では、スタート用の通過センサ１２として、前述した一対の光電センサを用いる。
【００７２】
ゴール用の第２のセンサ３においても、ゴール用通過センサ１２は、ゴール用計測時計１４と一体である。
【００７３】
ゴール用の通過センサ１３は、一対の光電センサを用いて、ゴール位置に配置する。滑走者がゴール用の通過センサ１３を通過した時の時刻を記憶し、滑走終了時刻とする。
【００７４】
図１、図２、図３及び図４に示すフローチャートを参照して、スタート用の第１のセンサ２とゴール用の第２のセンサ３を用いた滑走開始時刻及び滑走終了時刻の取得過程について説明する。
【００７５】
図４は、時間計測システムの時間計測について説明するためのフローチャートである。  
【００７６】
まず、被計測者（滑走者）は、自分で競技中に所持する電子機器端末（スマート
フォンやタブレット等）に計測アプリケーションソフトとダウンロードし、ソフトを起動する（ステップＳ１）
【００７７】
次に、まず、スタート用の第１のセンサ２およびゴール用の第２のセンサ３を起動させる。しっかりと起動されているか動作確認を行うのが望ましい（ステップＳ２）。
【００７８】
次に、滑走者が滑走を開始して、スタート用の通過センサ１１を通過すると、スタート用の通過センサ１１からスタート用計測時計１２へセンサ信号が入力される。スタート用計測時計１２の制御部３５は、センサ信号が入力されると、スタートの時刻情報（第１の時刻情報）を取得する（ステップＳ３）。
【００７９】
スタート用の第１のセンサ２の通信部３１は、取得したスタート時の時刻情報を
滑走者が所持する電子機器端末に送信する（ステップS４）。
【００８０】
その後、滑走者がゴールを通過すると、ゴール用の通過センサ１３からゴール用計測時計１４にセンサ信号が入力される。ゴール用計測時計１４の制御部３５は、センサ信号が入力されると、ゴールの時刻情報（第２の時刻情報）を取得する（ステップＳ５）。
【００８１】
ゴール用の第１のセンサ３の通信部４１は、取得したゴール時の時刻情報を滑走者が所持する電子機器端末に送信する（ステップS６）。
【００８２】
ここで、スタート用計測時計１２やゴール用の計測時計１４と滑走者の所持する電子機器端末は、ブルートゥース（Bluetooth）［登録商標］等の近距離無線通信で接続される。
【００８３】
その後、滑走者が所持している電子端末機器の第３の送信部は、データサーバ５に取得したスタート時刻情報とゴール時刻情報を送信する（ステップS７）。
【００８４】
データサーバ５では、特定の電子機器端末から送信された時刻情報をセットにして、一時的に記憶する。
【００８５】
データサーバ５内の図示しない演算処理部において、フィニッシュの時刻情報からスタートの時刻情報を差し引き、滑走に要した時間を滑走の時間情報（差分）として算出する（ステップＳ８）。  
例えば、スタート時刻情報： 10時 10分 13.634秒  
フィニッシュ時刻情報： 10時 11分 52.102秒  
滑走の時間情報：        1分38.468秒 となる。
【００８６】
次に、前述した図１及び、図５に示すフローチャートを参照して、データサーバ５に格納された滑走の時間情報の閲覧について説明する。
【００８７】
図５は、時間計測システムにおける端末で計測結果を閲覧する過程について説明するためのフローチャートである。ここでは、滑走終了後に滑走者（閲覧者）が閲覧する例である。
【００８８】
まず、閲覧者の端末、例えばパーソナルコンピュータやスマートフォン等の電子機器端末から、インターネット４を通じて、データサーバ５にアクセスする（ステップＳ９）。
【００８９】
無線携帯端末は、基地局の４Ｇ，３Ｇの環境下や無線ＬＡＮルータ等を利用したＷｉｆｉの環境下でインターネット４に接続する。
また、インターネット４の回線に有線接続するルータ等を用いた環境下でインターネット４に接続してもよい。
【００９０】
データサーバ５は、アクセスしたパーソナルコンピュータや電子機器端末に対して、登録番号又はパスワードを要求する。この例では、データサーバ５に対して予め設定した登録番号やパスワードを入力することで、アクセスが許可された閲覧者のみが時間情報を閲覧することができる。
【００９１】
但し、一般公開可能な時間情報であれば、制限を掛けることなく、誰にでもアクセス可能となるように設定してもよい。
【００９２】
なお、データサーバ５に時刻情報を送信した電子機器端末で、ダウンロードしたアプリケーションソフトを用いてデータサーバ５にアクセスする場合には、必ずしも登録番号又はパスワードを要求しなくともよい。
この場合は、電子機器端末の情報で閲覧を許可することになる。
【００９３】
閲覧者から登録番号又はパスワードを入力されると（ステップＳ１０）、データサーバ５は、例えば、登録番号に応じて割り当てられた時間情報のインデックス（閲覧の題目）を表示させる（ステップＳ１１）。
【００９４】
選択が容易なように、閲覧の題目には、例えば、時間情報が記憶された日時、場所（例えば、スキー場名）、主催者又はスキークラブ名等の事項や滑走タイムのオンラインランキングが表示される。
【００９５】
閲覧者は、選択した閲覧題目の画面で滑走者氏名を入力して所望する時間情報を読み出し、パーソナルコンピュータ２４や無線携帯端末７の表示画面に表示させることができる。
【００９６】
過去に記憶された滑走記録の時間情報だけではなく、現在、複数の滑走者が順次、滑走して時間情報が更新されている状況を中継的に閲覧することも可能である。時間情報が更新中であれば、最新の時間情報が随時、更新されている状況を閲覧することとなる。
【００９７】
さらに、順位だけでなく、首位者からの遅れ時間、平均速度（滑走距離が既知の場合）、偏差値や分布等のデータも併せて表示することができる。また、過去に記憶されたデータも読み出せば、比較対照して閲覧することも可能である。
【００９８】
以上のように、第１の実施形態によれば、簡易な時間計測システムにおいて、自己の滑走タイム（時間情報）や順位や他者の滑走タイム（時間情報）を取得できる。
【００９９】
なお、なんらかの理由でゴールの時刻情報を取得できない場合には、ゴール後に滑走者が所持する電子機器端末をゴール用の計測時計１４に近づけることで、ゴール時の時間情報をゴール用計測時計１４の通信部４１から取得することができる。
【０１００】
その後、電子機器端末のインターネット通信を行う第３の送信部を利用して、ゴールの時刻情報が共に、データサーバ５に送信される。
【０１０１】
なお、滑走者が所持する電子機器端末は、スタート時の時刻情報を取得した場合には、スタートの時刻情報（第１の時刻情報）をデータサーバ５には、送信せずに、ゴールの時刻情報（第２の時刻情報）を取得した際にスタートの時刻情報を併せてデータサーバ５に送信してもよい。
【０１０２】
また以上説明した一態様となる時間計測システムは、前述した雪上における滑走競技に限らず、種々の時間計測に適用することができる。例えば、１）陸上のトラック競技、マラソン等の走者が行う競技時間を計測する時間計測、２）自転車、モータバイク、又は自動車等の車両の走行時間を計測する時間計測、３）ヨットレース等の船艇の走行時間を計測する時間計測、４）飛行機でパイロンを通過する競技の時間計測など、予め設定された区間を移動するのに要する時間計測においては、種々の測定対象に対して時間計測を行うことができる。
【０１０３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の実施の形態は、その目的及び構成等に特に矛盾や問題がない限り、互いの技術を流用して組み合わせることが可能である。
【符号の説明】
【０１０４】
１    時間計測システム
２    スタート用のセンサ
３    ゴール用のセンサ
５    データサーバ
６    電子機器端末
１１  スタート用の通過センサ
１２  スタート用の計測時計
１３  ゴール用の通過センサ
１４  ゴール用の計測時計
３１  通信部（第１の送信部）
３４  メモリ
３５  制御部
４１  通信部（第２の送信部）
【要約】      （修正有）【課題】費用及び重量の軽減した時間計測システムを提供する。【解決手段】時間計測システムは、通信の機能を有する第一のセンサと第二のセンサと、被計測者が所持する電子機器端末６を備える。被計測者が所持する電子機器端末６は、時間測定区間に配置された第一のセンサと第二のセンサが示すセンサ信号を取得し、その信号をインターネット上のデータサーバ５に送信する。データサーバ５では時間情報の演算処理を行う。【選択図】図１【図１】
0006831163.tif 000002
【図２】
0006831163.tif 000003
【図３】
0006831163.tif 000004
【図４】
0006831163.tif 000005
【図５】
0006831163.tif 000006